(57)【要約】【課題】  計器に対する電線挿抜作業時に、露出する複数の電線の短絡を防止することのできる短絡防止具を提供する。【解決手段】  計器に接続される複数の電線を把持する固定部と、前記電線間に挿入される仕切り壁と、付勢部材とを備え、仕切り壁は、鉛直方向に対して傾斜して設けられていて、計器に電線を接続する際には計器に常に当接し、計器から電線を抜去する際には、付勢部材によって計器に当接する方向へ付勢されて計器に当接した状態が維持される。【選択図】      図１
2020051748.tif 000002
【特許請求の範囲】
【請求項１】
計器に接続される複数の電線を把持する固定部と、前記電線間に挿入される仕切り壁と、付勢部材とを備え、
仕切り壁は、鉛直方向に対して傾斜して設けられていて、計器に電線を接続する際には計器に常に当接し、計器から電線を抜去する際には、付勢部材によって計器に当接する方向へ付勢されて計器に当接した状態が維持されることを特徴とする短絡防止具。
【発明の詳細な説明】
【技術分野】
【０００１】
本発明は、電力量計等の計器に対する電線挿抜作業において電線間の短絡を防止する短絡防止具に関するものである。
【背景技術】
【０００２】
従来、電力量計等の計器の交換、点検、修理等のために計器に対して電線を挿入したり計器から電線を引き抜いたりする作業（以下、電線挿抜作業という）に際しては、複数本の電線を同時に挿抜する際に電線の導体部が露出するため、電線に工具等が接触したり電線同士が接触したりして、短絡が発生する危険があった。また、電線挿抜作業の間に停電が発生しないように、バイパス工具を用いて無停電状態で電線挿抜作業が行われる場合には、全ての電線が充電状態であるため、短絡が発生する危険性がさらに高かった。
【０００３】
そこで、例えば特許文献１には、側板と、側板の一方面から延出しバイパス工具の上面に載置され配線間に配置される仕切り部とを有する短絡防止具が提案されている。
【先行技術文献】
【特許文献】
【０００４】
【特許文献１】特開２０１７−２６３１８
【発明の概要】
【発明が解決しようとする課題】
【０００５】
しかしながら、上記従来の特許文献１のものは、短絡防止具をバイパス工具の上面に載置した後、短絡防止具を複数の配線に向かって手動でスライドさせて、仕切り部を複数の配線同士の間に配置する構成である。そのため、短絡防止具をバイパス工具の上面に載置した後、短絡防止具を配線に向かってスライドさせるまでの間は、配線間に仕切り部は配置されず、配線の導体部が露出するため、工具等の接触により短絡が発生する虞があった。
【０００６】
本発明は上記課題に鑑みてなされたものであり、その目的とするところは、計器に対する電線挿抜作業時に、露出する複数の電線の短絡を防止することのできる短絡防止具を提供することにある。
【課題を解決するための手段】
【０００７】
本発明の短絡防止具は、計器に接続される複数の電線を把持する固定部と、前記電線間に挿入される仕切り壁と、付勢部材とを備え、仕切り壁は、鉛直方向に対して傾斜して設けられていて、計器に電線を接続する際には計器に常に当接し、計器から電線を抜去する際には、付勢部材によって計器に当接する方向へ付勢されて計器に当接した状態が維持されることを特徴とする。
【発明の効果】
【０００８】
本発明によれば、電線間に挿入される仕切り壁が、計器に電線を接続する際には計器に常に当接し、また、計器から電線を抜去する際には、付勢部材によって計器に当接する方向へ付勢されて計器に当接した状態が維持される。つまり、仕切り壁が計器の動きに追従し、計器が電線から離れている間は電線間に仕切り壁が自動的に挿入されるので、電線に工具等が接触したり電線同士が接触したりして短絡が発生することを防止できる。
【０００９】
また、本発明によれば、仕切り壁が鉛直方向に対して傾斜して設けられているので、電線に対するバイパス工具の取り付け作業を行うことのできる空間、いわゆる作業スペースを、計器の取り付けられている壁面と仕切り壁との間に十分確保することができ、作業者の負担軽減とともに、作業性の向上を図ることができる。
【図面の簡単な説明】
【００１０】
【図１】電力量計に接続された電線に短絡防止具を取り付けた状態を示す斜視図である。
【図２】レバーの突起部と保持部材がスナップフィット係合している状態の短絡防止具を前側から見た斜視図である。
【図３】（ａ）は電線からの電力量計の取り外し前においてレバーの突起部と保持部材がスナップフィット係合している状態、（ｂ）は電線からの電力量計の取り外し後の短絡防止具を示す斜視図である。
【図４】電線からの電力量計の取り外し前後の状態を示す側面図である。
【図５】図３の短絡防止具を後側から見た斜視図である。
【発明を実施するための形態】
【００１１】
以下、本発明の実施の形態を図面に基づいて説明する。以下の好ましい実施形態の説明は例示に過ぎず、本発明、その適用物あるいはその用途を制限することを意図するものではない。ここでは、本発明の短絡防止具３が、図１及び図４に示すように、壁面Ｗに取付けられた電力量計（計器）１に対し、その下面１ａから電力量計１の端子部（図示しない）に挿入されている電線２ａ〜２ｆに取付けられ、バイパス工具５０を用いて無停電状態で電線挿抜作業が行われる場合を示す。図１は、電力量計１に接続された電線２ａ〜２ｆに短絡防止具３を取り付け、レバー３９の突起部３９ａと保持部材３２とのスナップフィット係合を解除した状態を示す斜視図である。図２は、レバー３９の突起部３９ａと保持部材３２がスナップフィット係合している状態の短絡防止具３を前側から見た斜視図である。図３（ａ）は電線２ａ〜２ｆからの電力量計１の取り外し前においてレバー３９の突起部３９ａと保持部材３２がスナップフィット係合している状態、図３（ｂ）は電線２ａ〜２ｆからの電力量計１の取り外し後における、仕切り壁３３ａ〜３３ｄが上方へと最も延伸した状態の短絡防止具３を示す斜視図である。図４（ａ）は電線２ａ〜２ｆからの電力量計１の取り外し前においてレバー３９の突起部３９ａと保持部材３２とのスナップフィット係合が解除された状態、図４（ｂ）は電線２ａ〜２ｆからの電力量計１の取り外し後の状態を示す側面図である。図５は、図３の状態の短絡防止具３を後側から見た斜視図である。なお、以下の説明において前後及び左右方向とは、図１に示す方向とする。
【００１２】
図１及び図４に示すように、壁面Ｗに取付けられた電力量計１は、その下端部において端子部（図示なし）を有しており、左右方向に間隔を空けて並ぶ複数本の電線２ａ〜２ｆが、電力量計１の下面１ａから端子部へと挿入された状態で、電線固定用ネジ（図示なし）によって固定されている。電線２ａ〜２ｆはそれぞれ、複数の導電性の線材が撚り合わされた導体部２１と、導体部２１を被覆する絶縁性の被覆２２とを有している。
【００１３】
短絡防止具３は、図１乃至図５に示すように、複数の電線２ａ〜２ｆを前後から挟み込むことで把持する一対の固定部である前側固定部材３６及び後側固定部材３７と、前側固定部材３６の略下端から前側下方へと伸びる基部３１と、基部３１の上面を摺動し複数の電線２ａ〜２ｆ同士の間に挿入される仕切り壁３３ａ〜３３ｄと、仕切り壁３３ａ〜３３ｄの間隔を保持するための保持部材３２，３４と、仕切り壁３３ａ〜３３ｄ及び保持部材３２，３４が基部から浮き上がったり脱落したりしないよう、仕切り壁３３ａ〜３３ｄを基部３１の下面側において互いに連結する固定部材４０と、仕切り壁３３ａ〜３３ｄを電力量計１の下面１ａに当接させる方向に付勢する付勢部材として基部３１の上面に沿って上下方向に設けられたコイルスプリング３５とを備える。仕切り壁３３ａ〜３３ｄと、保持部材３２，３４と、固定部材４０とは互いに固着されていて、基部３１の上面に沿って上下（前後）方向に摺動する。
【００１４】
前側固定部材３６は、図２及び図５に示すように略直方体状であり、後面には滑り止め部材３６ａを有しており、上面には左右一対の略直方体状のスペーサー３６ｂ，３６ｃを有しており、前面の左右方向略中央部にはコイルスプリング３５の上端を係止する係止部３６ｄを有している。そして、電線２ａ〜２ｆを挟んで後側に位置する後側固定部３７に対し、ネジ３８，３８によって左右２箇所において着脱自在にネジ止めされることで、電線２ａ〜２ｆを互いの間隔を保ったまま把持する。滑り止め部材３６ａは略平板状であり、ゴム等の摩擦係数の大きい材質で形成されていることが好ましく、電線２ａ〜２ｆは滑り止め部材３６によって上下左右にずれることなく把持される。スペーサー３６ｂ，３６ｃは、電線２ａ〜２ｆからの電力量計１の取り外し前の状態（図３（ａ）及び図４（ａ））において、その上面が電力量計１の下面に当接する。係止部３６ｄは、前方に突出して設けられていて、コイルスプリング３５の上端部が固定されている。
【００１５】
後側固定部材３７は、図２及び図５に示すように、前側固定部材３６と上下及び左右方向略同一幅の略直方体状であり、前面には左右一対の滑り止め部材３７ａ，３７ｂを有し、上面には左右一対の略直方体状のスペーサー３７ｃ，３７ｄを有し、後面には壁面Ｗへの当接部３７ｅを有し、左右端部にはネジ孔３７ｆ，３７ｆを有している。そして、電線２ａ〜２ｆを挟んで前側に位置する前側固定部３６に対し、左右２箇所のネジ孔３７ｆ，３７ｆにおいてネジ３８，３８によって着脱自在にネジ止めされることで、電線２ａ〜２ｆを互いの間隔を保ったまま把持する。滑り止め部材３７ａ，３７ｂは略平板状であり、ゴム等の摩擦係数の大きい材質で形成されていることが好ましく、電線２ａ〜２ｆは滑り止め部材３７ａ，３７ｂによって上下左右にずれることなく把持される。スペーサー３６ｂ，３６ｃは、電線２ａ〜２ｆからの電力量計１の取り外し前の状態（図３（ａ）及び図４（ａ））において、その上面が電力量計１の下面に当接する。当接部３７ｅは、断面略Ｕ字状の中空形状であり、後側固定部材３７の後面においてネジ孔３７ｆ，３７ｆ間に後側固定部材３７の長手方向に亘って取り付けられている。当接部３７ｅはゴム等の軟質で摩擦係数の大きい材質で形成されていることが好ましい。これにより、電線２ａ〜２ｆからの電力量計１の取り外し前の状態（図３（ａ）及び図４（ａ））において、当接部３７ｅがその後面において壁面Ｗに当接した際には、当接部３７ｅは壁面Ｗに沿って変形し、壁面Ｗとの摩擦力が生じることにより短絡防止具３の落下が防止される。
【００１６】
基部３１は、前側固定部材３６の略下端部から前側下方へと傾斜して伸びて設けられた平面視略Ｔ字状の略平板状部材であり、図３（ｂ）に示すように左右方向に間隔を空けて配された４本の貫通溝３１ｃ〜３１ｃと、略中央下部の左右方向両端部において垂直に立ち上がった側壁３１ａ，３１ｂと、左右方向略中央下部に設けられた、可撓性を有するレバー３９を有している。なお、本実施形態例においては基部３１の傾斜角（基部３１の下面と鉛直面とがなす角）は、およそ３５〜４５度程度が好ましい。レバー３９は、保持部材３２及び仕切り壁３３ａ〜３３ｄを図３（ａ）に示す位置に保持するためのものであって、基部３１の略中央下部から下方へ伸びて形成されていて、上面の上下方向略中央部には上面から略垂直に立ち上がった下側面を有する突起部３９ａが設けてある。電線２ａ〜２ｆからの電力量計１の取り外し前の状態において、突起部３９ａは、その下側面において後述の保持部材３２の立上り壁３２ｈの上側面にスナップフィット係合し、これにより保持部材３２及び仕切り壁３３ａ〜３３ｄは図３（ａ）の状態に保持される。そして、作業者がレバー３９を後方へと押すと、該スナップフィット係合は解除される。
【００１７】
４枚の仕切り壁３３ａ〜３３ｄは、図２及び図４に示すように、それぞれ略長方形平板状の基部３３ｅと、略台形平板状の壁部３３ｆが連結された形状であり、壁部３３ｆは、その上辺３３ｉに前側角部３３ｈと後端に後側角部３３ｇとを有していて、前側角部３３ｈおよび後側角部３３ｇは側面視鋭角形状である。図４に示すように仕切り壁３３ａ〜３３ｄが電力量計１の下面１ａに当接する際には、下面１ａが上辺３３ｉに当接する。仕切り壁３３ａ〜３３ｄは、左右方向に互いに間隔を空けて、基部３１の上面に対して略垂直となるよう、それぞれ仕切り壁に固定された保持部材３２及び保持部材３４によって支持されている。また、貫通溝３１ｃ〜３１ｃは、仕切り壁３３ａ〜３３ｄの後面に位置していて、基部３３ｅの下端には、貫通溝３１ｃ〜３１ｃに挿通され基部３１の下面から突出する凸部（図示しない）が形成されている。基部３１の下面から突出した計４つの凸部は、固定部材４０によって基部３１の下面側において互いに連結されている。これにより、仕切り壁３３ａ〜３３ｄは基部３１の上面に沿って、浮き上がることなく摺動可能となっており、また、仕切り壁３３ａ〜３３ｄ及び保持部材３２，３４が基部３１から脱落することがない。
保持部材３２は、基部３１の上面に沿って設けられた略長方形平板状の基部３２ｇと、基部３２ｇの下端部から前側へと垂直に立ち上がった立上り壁３２ｈと、立上り壁３２ｈ及び基部３２ｇに対し垂直に配置された計４対の平板状部材である保持部３２ｃ〜３２ｆとを有している。保持部３２ｃ〜３２ｆは、仕切り壁３３ａ〜３３ｄそれぞれの基部３３ｅの下端部を左右から挟み込んだ状態で保持している。立上り壁３２ｈは、左右両端に位置する当接部３２ａ，３２ａにおいて、基部３１の側壁３１ａ，３１ｂの内壁に当接している。立上り壁３２ｈの上面の左右方向略中央部に設けられた係止部３２ｂには、コイルスプリング３５の下端が係止されている。基部３２ｇの略下端部の左右方向略中央部には、突起部３９ａが収まる寸法の貫通孔３２ｉが設けられている。これにより、作業者が保持部材３２を図３（ｂ）の状態から図３（ａ）の状態に引き下げた際には、突起部３９ａが貫通孔３２ｉに収まり、突起部３９ａの下面が保持部材３２の立上り壁３２ｈの上側面にスナップフィット係合することで、作業者が保持部材３２を支持しなくとも、保持部材３２及び仕切り壁３３ａ〜３３ｄはコイルスプリング３５の付勢力に抗して図３（ａ）の位置に留まったままロックされる。そして、作業者がレバー３９を後方へと押すことによりスナップフィット係合が解除されると、ロックが解除された保持部材３２及び仕切り壁３３ａ〜３３ｄはコイルスプリング３５の付勢力により、基部３１の上面に沿って上方（後方）へとスライドし、仕切り壁３３ａ〜３３ｄの上辺３３ｉの前側角部３３ｈが電力量計１の下面１ａに当接して図４（ｂ）に示す状態となる。そして、仕切り壁３３ａ〜３３ｄの壁部３３ｆは、それぞれ電線２ａと２ｂの間、電線２ｂと２ｃの間、電線２ｄと２ｅの間、電線２ｅと２ｆの間に挿入される。なお、本実施形態例において電線２ｃと２ｄとの間には仕切り壁が設けられていないが、電線２ｃと２ｄには同相の電圧が供給されているため、接触しても短絡は発生しない。
保持部材３４は、略長方形平板状の基部３４ａと、基部３４ａの下面から垂直に伸びて設けられた４対の略長方形平板状の壁部３４ｂ〜３４ｂを有している。左右で一対の壁部３４ｂは、仕切り壁３３ａ〜３３ｄの基部３３ｅの上端部を左右から挟み込んだ状態で固定されている。これにより、仕切り壁３３ａ〜３３ｄ同士の左右の間隔が保たれる。
【００１８】
次に、本発明の短絡防止具３を用いた電力量計１の取替作業の方法及び、本発明の作用効果について説明する。
まず、作業の準備として、短絡防止具３が図２及び図５に示す状態となるよう、ネジ３８，３８を緩めて後側固定部材３７を前側固定部材３６から分離する。また、保持部材３２及び仕切り壁３３ａ〜３３ｄをコイルスプリング３５の付勢に抗する方向（下方向）に引き下げ、レバー３９の突起部３９ａを保持部材３２の立上り壁３２ｈの上面にスナップフィット係合させることで、保持部材３２及び仕切り壁３３ａ〜３３ｄを図３（ａ）に示す位置にロックする。したがって、作業者は以降の作業において保持部材３２及び仕切り壁３３ａ〜３３ｄを支持する必要がなく、作業を一人で行うことが可能であり、作業性に優れる。以上で作業の準備が完了する。
【００１９】
続いて、電力量計１の取替作業の方法を述べる。まず、後側固定部材３７を、壁面Ｗと電線２ａ〜２ｆとの間に挿入し、スペーサー３７ｃ，３７ｄの上面が電力量計１の下面１ａに当接する状態（後側固定部材３７が図４（ａ）に示す位置にある状態）となるよう挟み込む。このとき、壁面Ｗに沿って変形した当接部３７ｅと壁面Ｗとの間には摩擦力が生じており、また、滑り止め部材３７ａ，３７ｂと電線２ａ〜２ｆとの間にも摩擦力が生じているため、作業者が後側固定部材３７から手を放しても、後側固定部材３７が重力により下方へ動くことはない。したがって、作業者は以降の作業において後側固定部材３７を支持する必要がなく、作業を一人で行うことが可能であり作業性に優れる。
【００２０】
次に、前側固定部材３６のスペーサー３６ｂ，３６ｃの上面を電力量計１の下面１ａに当接させ、前側固定部材３６を後側固定部材３７に対し、電線２ａ〜２ｆを挟み込んだ状態で（図４（ａ）に示す位置）ネジ３８，３８で固定する。すると、電線２ａ〜２ｆは滑り止め部材３７ａ，３７ｂによって上下左右にずれることなく把持されるので、以降の作業において電線２ａ〜２ｆがふらついて互いに接触し短絡することを防ぐことができる。また、以降の作業において仕切り壁３３ａ〜３３ｄが電線２ａ〜２ｆ同士の間に、電線２ａ〜２ｆと干渉することなくスムーズに挿入される。そして、短絡防止具３の基部３１が前側固定部材３６から前側下方へ斜めに伸びて形成されていることで、水平に延伸して形成した場合に比べ、以降の作業時において短絡防止具３の下方からの視野を広く確保でき、電線２ａ〜２ｆの電力量計１の端子固定ネジ（図示しない）による固定状況や、電線２ａ〜２ｆ同士が短絡していないか等を電力量計１が高所に設置されている場合においても常に確認可能である。また、基部３１を鉛直方向に垂下して形成した場合に比べ、基部３１と壁面Ｗとの間に作業スペースが広く確保されているため、以降の電線に対するバイパス工具の取り付け作業における作業性に優れる。
【００２１】
次いで、レバー３９を後方へと押すことで突起部３９ａと保持部材３２のスナップフィット係合を解除する。すると、仕切り壁３３ａ〜３３ｄがコイルスプリング３５の付勢力によって基部３１の上面を上方へとスライドし、図４（ａ）に示すように仕切り壁３３ａ〜３３ｄの壁部３３ｆの上辺３３ｉが電力量計１の下面１ａに当接する。
【００２２】
次に、電線２ａ〜２ｆの図４（ａ）に示す位置に、バイパス工具５０を取り付ける。バイパス工具５０は、無停電で電力量計１の取替作業を行うための工具であり、電線２ａ〜２ｆの同相同士をバイパス接続できるため、取替作業時に電力量計１を取り外しても負荷側への電力供給が維持される。また、電線２ａ〜２ｆに対するバイパス工具５０の取り付け及び取り外し作業の際には、基部３１と壁面Ｗとの間に作業スペースが広く確保されており、作業性に優れる。
【００２３】
次いで、電線２ａ〜２ｆを電力量計１の端子部に固定している端子固定ネジを全て緩め、図４（ｂ）に示すように電力量計１を壁面Ｗおよび電線２ａ〜２ｆから取り外す。このとき、仕切り壁３３ａ〜３３ｄは、コイルスプリング３５によって電力量計１の下面１ａに当接する方向に付勢されていて、基部３１の上面を上下にスライド自在であるので、電力量計１の動きに追従して延伸し、壁部３３ｆの上辺３３ｉは下面１ａに常に当接した状態となる。つまり、電力量計１が電線２ａ〜２ｆから取り外されると、自動的に仕切り壁３３ａ〜３３ｄの壁部３３ｆが電線２ａ〜２ｆの間に挿入される。これにより、電力量計１が電線２ａ〜２ｆから取り外された際に電線２ａ〜２ｆの導体部２１が露出することがないので、電線２ａ〜２ｆ同士の接触や工具等への接触による短絡を防ぐことができる。また、仕切り壁３３ａ〜３３ｄの壁部３３ｆの形状が略台形平板状であるので、略長方形平板状の基部３３ｅの上端部を壁部とした場合に比べて電線２ａ〜２ｆ間をより広い面積の壁部３３ｆで遮ることができ、電線間の短絡をより確実に防止できる。
また、図４（ａ）に示す電力量計１を電線２ａ〜２ｆから取り外す直前において、前側固定部材３６の上面にスペーサー３６ｂ，３６ｃを設けてあることで、仕切り壁３３ａ〜３３ｄの壁部３３ｆの上辺３３ｉが電力量計１の下面１ａに当接している。これにより、電力量計１を取り外す際に、電力量計１の上方への動き出しと同時に仕切り壁３３ａ〜３３ｄが延伸を開始できるので、電線２ａ〜２ｆ間に仕切り壁３３ａ〜３３ｄの壁部３３ｆが挿入されるまでの導体部２１の露出をより短時間に抑えることができ、電線間の短絡を確実に防止できる。
そして、仕切り壁３３ａ〜３３ｄがコイルスプリング３５の付勢力により上方へと最も延伸した状態となると、短絡防止具３は図３（ｂ）に示す状態で電線２ａ〜２ｆと共に電力量計１から離れ、電線２ａ〜２ｆが電力量計１から離れている間は、電線２ａ〜２ｆ間に常に仕切り壁３３ａ〜３３ｄが挿入されている状態となる。このため、以降の新たな電力量計１の取り付け作業の間も電線２ａ〜２ｆ間の短絡を防止できる。
【００２４】
次に、新たな電力量計１の端子部を、短絡防止具３が装着された電線２ａ〜２ｆに接続し、電線固定用ネジで固定する。このとき電線２ａ〜２ｆ及び短絡防止具３は、図４（ｂ）の状態を経て図４（ａ）の状態となる。つまり、仕切り壁３３ａ〜３３ｄの上辺３３ｉは電力量計１の下面１ａに当接したまま、電力量計１の動きに追従して基部３１の上面をスライドし延伸する。したがって、電線２ａ〜２ｆの導体部２１が電力量計１に接続される直前まで、電線２ａ〜２ｆ間に仕切り壁３３ａ〜３３ｄが挿入された状態が自動的に維持されるので、電線２ａ〜２ｆ間の短絡をより確実に防ぐことができる。
【００２５】
次いで、前記新たな電力量計１を壁面Ｗに固定し、バイパス工具５０を電線２ａ〜２ｆから取り外す。そして、保持部材３２及び仕切り壁３３ａ〜３３ｄを下方へと引き下げ、レバー３９の突起部３９ａを保持部材３２にスナップフィット係合させることで、保持部材３２及び仕切り壁３３ａ〜３３ｄを図３（ａ）に示す位置にロックする。その後、ネジ３８，３８を緩めて前側固定部材３６及び基部３１を後側固定部材３７及び電線２ａ〜２ｆから取り外す。最後に、後側固定部材３７を電線２ａ〜２ｆと壁面Ｗとの間から取り外し、電力量計１の取替作業が完了する。
【００２６】
以上で述べたように、電線２ａ〜２ｆ間に挿入される仕切り壁３３ａ〜３３ｄの上辺３３ｉが、電力量計１に電線２ａ〜２ｆを接続する際には電力量計１の下面１ａに常に当接し、また、電力量計１から電線２ａ〜２ｆを抜去する際にはコイルスプリング３５によって電力量計１の下面１ａに当接する方向へ付勢され、電力量計１の下面１ａに当接した状態が維持される。つまり、仕切り壁３３ａ〜３３ｄが電力量計１の動きに追従し、電力量計１の電線２ａ〜２ｆからの取り外し作業中および、電力量計１が電線２ａ〜２ｆから離れている間は自動的に電線２ａ〜２ｆそれぞれの導体部２１同士の間に仕切り壁３３ａ〜３３ｄが挿入されている状態となるので、電線２ａ〜２ｆの導体部２１に工具等が接触したり電線２ａ〜２ｆの導体部２１同士が接触したりして短絡が発生することを防止できる。
【００２７】
また、基部３１及び仕切り壁３３ａ〜３３ｄが鉛直方向に対して傾斜して設けられているので、電線に対するバイパス工具５０の取り付け作業を行うことのできる空間、いわゆる作業スペースを電力量計１の取り付けられている壁面Ｗと基部３１及び仕切り壁３３ａ〜３３ｄとの間に十分確保することができ、作業者の負担軽減を図るとともに、作業性の向上を図ることができる。
【００２８】
本発明は、上記の実施形態に限らず本発明の要旨を逸脱しない範囲で変形可能であり、短絡防止具の各部の形状、大きさ、厚さ等は適宜変更できる。例えば、仕切り壁の形状は平板状でなくともよく、棒状等、隣り合う電線の間を仕切ることのできる形状であればよい。また、無停電状態での電線挿抜作業に限らず、バイパス工具を用いない停電状態における電線挿抜作業にも適用可能である。
【符号の説明】
【００２９】
Ｗ      壁面
１      電力量計（計器）
１ａ    下面
２ａ〜２ｆ    電線
２１    導体部
２２    被覆
３      短絡防止具
３１    基部
３１ａ，３１ｂ  側壁
３１ｃ  貫通溝
３９    レバー
３９ａ  突起部
３２    保持部材
３２ａ  当接部
３２ｂ  係止部
３２ｃ〜３２ｆ  保持部
３２ｇ  基部
３２ｈ  立上り壁
３２ｉ  貫通孔
３４    保持部材
３４ａ  基部
３４ｂ  壁部
３３ａ〜３３ｄ  仕切り壁
３３ｅ  基部
３３ｆ  壁部
３３ｇ  後側角部
３３ｈ  前側角部
３３ｉ  上辺
３５    コイルスプリング（付勢部材）
３６    前側固定部材（固定部）
３６ａ  滑り止め部材
３６ｂ  スペーサー
３６ｃ  スペーサー
３６ｄ  係止部
３７    後側固定部材（固定部）
３７ａ  滑り止め部材
３７ｂ  滑り止め部材
３７ｃ  スペーサー
３７ｄ  スペーサー
３７ｅ  当接部
３７ｆ  ネジ孔
３８    ネジ
４０    固定部材
５０    バイパス工具
【図１】
2020051748.tif 000003
【図２】
2020051748.tif 000004
【図３】
2020051748.tif 000005
【図４】
2020051748.tif 000006
【図５】
2020051748.tif 000007